【手続補正書】
【提出日】平成21年7月8日(2009.7.8)
【手続補正１】
【補正対象書類名】明細書
【補正対象項目名】特許請求の範囲
【補正方法】変更
【補正の内容】
【特許請求の範囲】
【請求項１】  電子番組表を取得する電子番組表取得手段と、処理する映像を選択する映像選択手段と、該映像選択手段により選択された映像の映像種別を判別する映像種別判別手段と、該映像種別判別手段により判別された映像の映像種別から映像処理方法を決定する映像処理方法決定手段と、該映像処理方法決定手段により決定された映像処理方法に従って前記映像選択手段により選択された映像を処理する映像処理手段とを具備することを特徴とする映像処理装置。
【請求項２】  前記映像選択手段は、前記電子番組表から処理する映像を選択することを特徴とする請求項１記載の映像処理装置。
【請求項３】  前記映像選択手段は、放映チャンネル及び時刻を直接入力することにより処理する映像を選択することを特徴とする請求項１記載の映像処理装置。
【請求項４】  前記映像種別判別手段の判別結果が、テロップが多く内挿されている映像種別である場合に、前記映像処理手段においてテロップ検出を行うことを特徴とする請求項１記載の映像処理装置。
【請求項５】  前記映像処理手段におけるテロップ検出の処理パラメータを変更することを特徴とする請求項４記載の映像処理装置。
【請求項６】  前記映像種別判別手段の映像種別判別結果が、テロップが多く内挿されたニュースであることを特徴とする請求項４または５記載の映像処理装置。
【請求項７】  前記映像種別判別手段の判別結果が、ニュースである場合に、前記映像処理手段においてニュース切り出しを行うことを特徴とする請求項６記載の映像処理装置。
【請求項８】  前記映像処理手段において映像処理された映像を原映像とともに記録する映像記録手段を備えることを特徴とする請求項１記載の映像処理装置。
【手続補正２】
【補正対象書類名】明細書
【補正対象項目名】０００８
【補正方法】変更
【補正の内容】
【０００８】
第４の技術手段は、第１の技術手段の映像処理装置において、前記映像種別判別手段の判別結果が、テロップが多く内挿されている映像種別である場合に、前記映像処理手段においてテロップ検出を行うことを特徴とする。
【手続補正３】
【補正対象書類名】明細書
【補正対象項目名】００１０
【補正方法】変更
【補正の内容】
【００１０】
第６の技術手段は、第４または第５の技術手段において、前記映像種別判別手段の映像種別判別結果が、テロップが多く内挿されたニュースであることを特徴とする。
第７の技術手段は、第６の技術手段の映像処理装置において、前記映像種別判別手段の判別結果が、ニュースである場合に、前記映像処理手段においてニュース切り出しを行うことを特徴とする。
【手続補正４】
【補正対象書類名】明細書
【補正対象項目名】００１１
【補正方法】変更
【補正の内容】
【００１１】
第８の技術手段は、第１の技術手段の映像処理装置において、前記映像処理手段において映像処理された映像を原映像とともに記録する映像記録手段を備えることを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１９
【補正方法】変更
【補正の内容】
【００１９】
第６および７の技術手段においては、第４の技術手段の映像処理装置において、映像種別がニュースである場合にニュース映像を各ニュース単位に分割する。
【手続補正８】
【補正対象書類名】明細書
【補正対象項目名】００２０
【補正方法】変更
【補正の内容】
【００２０】
第８の技術手段においては、第１の技術手段の映像処理装置において、映像記録手段により映像処理手段による処理結果を原映像とともに記録する。
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２４
【補正方法】変更
【補正の内容】
【００２４】
図２は、映像処理装置が、放送を受信し、ユーザにより選択された映像を処理し、原映像及び処理された映像を保存するまでの処理を示すフローチャートで、請求項１記載の映像処理装置の処理を示す。
ステップ１では、ＥＰＧの取得が行われ、ＥＰＧメモリ５に蓄積される。ＥＰＧは、現在インターネット及びデータ放送を通じて提供されているが、将来的に他のメディアにより提供されれば、そのメディアを利用することができる。
ステップ２では、処理する映像のチャンネルを指定し、ステップ３では、処理する映像の放映時刻を設定する。
ステップ４では、ＥＰＧメモリ５に蓄積されているＥＰＧデータ、ステップ２、ステップ３で選択された映像のチャンネル及び放映時刻から映像の種別を判別する。
ステップ５では、ステップ４により判別された映像種別に基づき、処理方法決定部８で映像の処理方法を決定する。
ステップ６で、現在時刻を取得し、ステップ７で処理の開始時刻との大小関係を比較し、開始時刻まで待機する。開始時刻になれば、ステップ８に進む。
ステップ８では、ステップ５により決定された処理方法に従い、入力される映像を処理する。
ステップ９で、現在時刻を取得し、ステップ１０で処理の終了時刻との大小関係を比較し、終了時刻に達していなければステップ８に戻り処理を継続する。
請求項８記載の映像処理装置においては、ステップ１１で、原映像及び映像の処理結果が保存される。
【手続補正１２】
【補正対象書類名】明細書
【補正対象項目名】００３１
【補正方法】変更
【補正の内容】
【００３１】
図７は、映像記録部１０を備えた映像処理装置の処理を示すフローチャートで、請求項８記載の映像処理装置の処理を示す。
ステップ６１では、チューナ２より映像が入力される。
ステップ６２では、図２〜図６に示すような映像処理が請求項１〜請求項７記載の映像処理装置において行われる。
ステップ６３では、ステップ６２において処理した映像が記録媒体に書き出される。
ステップ６４では、映像の終端を判定し、終端でなければステップ６１に戻り、処理を映像の終端まで繰り返す。
ステップ６５では、映像処理結果をメモリ７から読み出し、ステップ６６で、記録媒体に書き出す。
なお、本実施例において処理結果の書き出しは、映像の処理が終了してから行っているが、ステップ６４をステップ６６の後に行い、映像処理の都度記録しても構わない。
【手続補正１３】
【補正対象書類名】明細書
【補正対象項目名】００３２
【補正方法】変更
【補正の内容】
【００３２】
図８は、映像処理方法決定部８により決定する映像処理方法が画質調整である場合の処理を示すフローチャートである。
ステップ７１では、図３のステップ２３もしくは図４のステップ３３によりメモリ７に書き込まれた番組情報を読み出す。
ステップ７２では、ステップ７１で読み出した番組情報から処理すべき映像の種別を判別する。
ステップ７３では、パラメータメモリ１１に保持されているパラメータテーブルから映像種別に従ったパラメータを取得する。
ステップ７４では、ステップ７３で取得したパラメータに従って映像の画質を調整する。画質とは、コントラスト、色調、明るさ等、映像の見栄えに関するもので調整可能なものであれば良い。
【手続補正１４】
【補正対象書類名】明細書
【補正対象項目名】００３３
【補正方法】変更
【補正の内容】
【００３３】
図９は、画質調整の調整値を設定する場合の処理を示すフローチャートである。
ステップ８１では、ユーザＩ／Ｆ１２を通じてユーザから設定すべきパラメータ情報が入力される。
ステップ８２では、ステップ８１で入力されたパラメータ情報をパラメータメモリ１１に記憶させる。
【手続補正１５】
【補正対象書類名】明細書
【補正対象項目名】００３９
【補正方法】変更
【補正の内容】
【００３９】
請求項６および７記載の発明によれば、映像種別判別手段の結果がニュースである場合に、映像処理手段にニュース切り出しを追加し、ニュース映像を個々のニュース記事に分割することにより、ユーザは所望のニュースを容易に検索することが可能となる。
【手続補正１６】
【補正対象書類名】明細書
【補正対象項目名】００４０
【補正方法】変更
【補正の内容】
【００４０】
請求項８記載の発明によれば、映像記録手段により、映像処理された結果の映像及び原映像を記録することにより、原映像及び処理結果の映像を再利用することが可能となる。
【手続補正１７】
【補正対象書類名】明細書
【補正対象項目名】００４１
【補正方法】削除
【補正の内容】
【手続補正１８】
【補正対象書類名】明細書
【補正対象項目名】００４２
【補正方法】削除
【補正の内容】